(57)【要約】【課題】各種の短焦点プロジェクターを選択することが可能で、大型の画面でも安全な設置ができ、運搬や移動も容易なリアプロジェクター用スタンドを提供する。【解決手段】ボード状のスクリーンを備えた映像表示装置１０を設ける。映像表示装置１０の背面に選択した短焦点プロジェクターＰを設置するように構成する。映像表示装置１０を着脱自在に支持する支持台２０を設ける。支持台２０にキャスター２１を設けて移動自在に構成する。支持台２０に支持した映像表示装置１０の背面側に載置台２２を構成する。載置台２２を短焦点プロジェクターＰの投影角度に合わせて高さ調整自在に設ける。【選択図】  図１
0003206150.tif 000002
【実用新案登録請求の範囲】
【請求項１】
背面に設置した短焦点プロジェクターから投射された映像光を透過して映像を表示するボード状のスクリーンを備えた映像表示装置と、該映像表示装置を着脱自在に支持すると共に、短焦点プロジェクターを載置した状態で移動自在に構成した支持台とを備えたリアプロジェクター用スタンドであって、支持台上に支持した映像表示装置の背面側に短焦点プロジェクターを載置する載置台を設置し、該載置台を複数の短焦点プロジェクターの投影角度に合わせて高さ調整自在に構成したことを特徴とするリアプロジェクター用スタンド。
【請求項２】
前記映像表示装置は、アクリル板に光を投影する素材を練り込んだボード状のアクリルスクリーンと、該アクリルスクリーンの外周囲に沿って後面側に固定された角パイプ状の固定枠体と、該固定枠体の下側面に固定され前記支持台方向に突出する連結金具とを備え、前記支持台は、前記キャスターを備えた底板の上に、前記映像表示装置の前記連結金具を着脱自在に支持する前面支持盤体と、該前面支持盤体と平行に相対峙し前記映像表示装置の背面側に設置された後面板体と、前面支持盤体及び後面板体の間に設置され、電子機器類を収納する収納ボックスと、該収納ボックスの上方で前面支持盤体及び後面板体の間に設置され前記短焦点プロジェクターを載置する高さ調整自在な前記載置台とを備えた請求項１記載のリアプロジェクター用スタンド。
【請求項３】
前記支持台において、前記連結金具を収納せしめる収納凹部を前記前面支持盤体の上端部に形成し、該収納凹部に収納した連結金具と前記前面支持盤体とを連結ボルトで連結して前記映像表示装置を前記支持台に固定するように構成し、前記前面支持盤体の連結ボルトを覆う前面パネルを前面支持盤体の前面に着脱自在に装着し、支持台の移動時に把持する取手を前記後面板体に設けた請求項２記載のリアプロジェクター用スタンド。
【考案の詳細な説明】
【技術分野】
【０００１】
本考案は、主にデジタルサイネージで用いる大画面スクリーンの裏側に短焦点プロジェクターを設置するリアプロジェクター用スタンドに係り、特に、複数の短焦点プロジェクターを任意に選択して使用することが可能なリアプロジェクター用スタンドに関する。
【背景技術】
【０００２】
特許文献１に記載されているように、従来のリアプロジェクターの設置は、箱体状の本体内部に、短焦点プロジェクターと反射ミラーとが備えられたものであった。そして、この反射ミラーにより、短焦点プロジェクターから投射された映像光を拡大すると共にスクリーンの背面に投影する構成である。
【０００３】
一方、特許文献２や特許文献３に短焦点プロジェクターとスクリーンとを分離してスタンドにセットしたリアプロジェクター装置が記載されている。この装置では、板状の透過型スクリーンの背面側に短焦点プロジェクターを配置して映像を投射するように構成したものである。このように短焦点プロジェクターとスクリーンとを分離してスタンドにセットすることで、箱体状の本体を用いた従来のリアプロジェクターよりもコンパクトになるというものである。
【０００４】
また特許文献３には、大画面スクリーンを支持する構成が記載されている。この構成によると、スクリーンの下端部を支持する遮蔽箱体から、スクリーンの前方に突出する突出部を設けることで、スクリーンを自立可能に支持するというものである。
【先行技術文献】
【特許文献】
【０００５】
【特許文献１】特開２００８-５８７３９号公報
【特許文献２】特開２０１１-２５３１３０号公報
【特許文献３】特開２０１４-９８７３８号公報
【考案の開示】
【考案が解決しようとする課題】
【０００６】
特許文献１に記載のリアプロジェクター装置では、短焦点プロジェクターや反射ミラーを箱体状の本体内部に収納して搬送する構造なので、主に小型のスクリーンを使用する際に用いられる。ところが、大画面の大型スクリーンを使用する場合、スクリーンのサイズに本体のサイズが比例することになる。そのため、例えばデジタルサイネージで用いるような８０インチを超える大型スクリーンを使用する場合、全体が極めて大掛かりな構成になるので、運搬や設置等の実用性に課題が生じるものである。
【０００７】
一方、特許文献２や特許文献３に記載のリアプロジェクター装置は、いずれも、板状の透過型スクリーンの背面側に短焦点プロジェクターを配置して映像を投射するように構成している。ところが、短焦点プロジェクターの設置位置は、スクリーンに対して投射する角度が最適角度になるように固定している。そのため、使用可能な短焦点プロジェクターは、最適角度の位置に設置した機材に限定され、投射角度が異なる別の短焦点プロジェクターを選択利用することができない構造であった。
【０００８】
短焦点プロジェクターは、投影する映像のシャープさや色合い等の質感、あるいは製品価格等が機種ごとに異なっている。そのため、利用者は、短焦点プロジェクターを選択することで、コストや画質等を選択することが可能になっている。ところが、特許文献２や特許文献３に記載のリアプロジェクター装置は、いずれも短焦点プロジェクターの位置を固定しているので、複数の短焦点プロジェクターから任意に選択利用することはできない構成であった。
【０００９】
また、街角の看板やポスターを電子化し、液晶パネルやプロジェクターなどに画像や動画を配信するメディアとして最近使用されているデジタルサイネージでは、特に、スクリーンが大型化する傾向がある。
【００１０】
このスクリーンには、ガラス板やアクリル板にフィルムを貼ったスクリーンや巻き上げ式のスクリーンなど複数種のスクリーンが提供されている。その中でも、特に、アクリル板に光を投影する素材を練り込んだボード状のアクリルスクリーンは、投影面が平滑なために、映像の歪みがないという特徴があり、投射角度を調整することで、各種の短焦点プロジェクターの利用が可能になっている。
【００１１】
しかしながら、ボード状のアクリルスクリーンの重量は、フィルムや巻きあげ式スクリーンに比べて重量が極めて嵩むので、例えば、８０インチ程度の大型スクリーンをボード状のアクリルスクリーンにて形成した場合、数十キロにもなり、移動や搬送が困難にならざるを得ない。したがって、特許文献３に記載のような突出部を設ける程度では、このような大型のボード状アクリルスクリーンを安全に支持することは極めて困難であった。
【００１２】
そこで、本考案は上述の課題を解消すべく案出されたもので、各種の短焦点プロジェクターを選択することで、好みの画質やコストを選択することが可能になり、しかも、８０インチもの大型のボード状アクリルスクリーンでも安全な設置ができ、運搬や移動も容易なリアプロジェクター用スタンドの提供を目的とするものである。
【課題を解決するための手段】
【００１３】
本考案の第１の手段は、背面に設置した短焦点プロジェクターＰから投射された映像光を透過して映像を表示するボード状のスクリーンを備えた映像表示装置１０と、該映像表示装置１０を着脱自在に支持すると共に、短焦点プロジェクターＰを載置した状態で移動自在に構成された支持台２０とを備えたリアプロジェクター用スタンドであって、支持台２０上に支持した映像表示装置１０の背面側に短焦点プロジェクターＰを載置する載置台２２を設置し、該載置台２２を複数の短焦点プロジェクターＰの投影角度に合わせて高さ調整自在に構成したことにある。
【００１４】
第２の手段において、前記映像表示装置１０は、アクリル板に光を投影する素材を練り込んだボード状のアクリルスクリーン１３と、該アクリルスクリーン１３の外周囲に沿って後面側に固定された角パイプ状の固定枠体１２と、該固定枠体１２の下側面に固定され前記支持台２０方向に突出する連結金具１１とを備え、前記支持台２０は、キャスター２１を備えた底板２３の上に、前記映像表示装置１０の前記連結金具１１を着脱自在に支持する前面支持盤体２４と、該前面支持盤体２４と平行に相対峙し前記映像表示装置１０の背面側に設置された後面板体２５と、前面支持盤体２４及び後面板体２５の間に設置され、電子機器類を収納する収納ボックス２６と、該収納ボックス２６の上方で前面支持盤体２４及び後面板体２５の間に設置され前記短焦点プロジェクターＰを載置する高さ調整自在な前記載置台２２とを備えたものである。
【００１５】
第３の手段は、前記支持台２０において、前記連結金具１１を収納せしめる収納凹部２４Ａを前記前面支持盤体２４の上端部に形成し、該収納凹部２４Ａに収納した連結金具１１と前記前面支持盤体２４とを連結ボルト２７で連結して前記映像表示装置１０を前記支持台２０に固定するように構成し、前記前面支持盤体２４の連結ボルト２７を覆う前面パネル２８を前面支持盤体２４の前面に着脱自在に装着し、支持台２０の移動時に把持する取手２５Ａを前記後面板体２５に設けたものである。
【考案の効果】
【００１６】
本考案の請求項１の如く、支持台２０上に支持した映像表示装置１０の背面側に短焦点プロジェクターＰを載置する載置台２２を構成し、該載置台２２を複数の短焦点プロジェクターＰの投影角度に合わせて高さ調整自在に設けたことにより、これまで特定の短焦点プロジェクターＰしか使用できなかったリアプロジェクター装置において、焦点角度が異なった複数の短焦点プロジェクターから任意に選択して使用することが可能になった。この結果、各種の短焦点プロジェクターから、好みの画質やコスト等を選択することができる。
【００１７】
請求項２のように、映像表示装置１０は、アクリル板に光を投影する素材を練り込んだボード状のアクリルスクリーン１３と、該アクリルスクリーン１３の外周囲に沿って後面側に固定された角パイプ状の固定枠体１２と、該固定枠体１２の下側面に固定され前記支持台２０方向に突出する連結金具１１とを備えているので、デジタルサイネージ用として使用する８０インチの大画面になっても、映像の歪みを防止しながら映像表示装置１０を確実に支持することができる。しかも、焦点角度が異なった複数の短焦点プロジェクターに対応して鮮明な映像を表示することができる。
【００１８】
また、支持台２０は、前記キャスター２１を備えた底板２３の上に、前記映像表示装置１０の前記連結金具１１を着脱自在に支持する前面支持盤体２４と、該前面支持盤体２４と平行に相対峙し前記映像表示装置１０の背面側に設置された後面板体２５と、前面支持盤体２４及び後面板体２５の間に設置され、電子機器類を収納する収納ボックス２６と、該収納ボックス２６の上方で前面支持盤体２４及び後面板体２５の間に設置され前記短焦点プロジェクターＰを載置する高さ調整自在な前記載置台２２とを備えているので、大型のアクリルスクリーン１３でも安定した状態で支持することができる。
【００１９】
また、支持台２０に映像表示装置１０を支持した状態で支持台２０を移動することも容易になるので、例えば、８０インチの大型のアクリルスクリーン１３をデジタルサイネージに使用する場合に、毎日終業後に商店のウィンドウ裏に移動する作業なども容易に行える。
【００２０】
請求項３のごとく、前記支持台２０において、前記連結金具１１を収納せしめる収納凹部２４Ａを前記前面支持盤体２４の上端部に形成し、該収納凹部２４Ａに収納した連結金具１１と前記前面支持盤体２４とを連結ボルト２７で連結して前記映像表示装置１０を前記支持台２０に固定するように構成したことで、映像表示装置１０の着脱作業を安全かつ、容易に行うことができる。
【００２１】
この結果、例えば８０インチの大型のアクリルスクリーン１３を使用する場合でも短時間で着脱することができる。しかも、映像表示装置１０と支持台２０とを別々にして搬送や保管ができ、使用場所での設置作業も簡単に行うことができる。
【００２２】
また、前記前面支持盤体２４の連結ボルト２７を覆う前面パネル２８を前面支持盤体２４の前面に着脱自在に装着しているので、デジタルサイネージに使用する際の外観上の体裁も良好になり、しかも、支持台２０の移動時に把持する取手２５Ａを前記後面板体２５に設けているので、支持台２０の移動作業も容易になる。
【図面の簡単な説明】
【００２３】
【図１】本考案の使用状態を示す斜視図である。
【図２】本考案の一実施例を示す側面図である。
【図３】本考案の一実施例を示す平面図である。
【図４】本考案の一実施例を示す正面図である。
【図５】本考案の映像表示装置を分離した状態を示す正面図である。
【図６】本考案の映像表示装置の取り付け状態を示す要部斜視図である。
【図７】本考案の映像表示装置と支持台との連結状態を示す要部断面図である。
【考案を実施するための形態】
【００２４】
本考案は、主に、デジタルサイネージで用いる大画面スクリーンを支持するリアプロジェクター用スタンドであり、映像表示装置１０と支持台２０とで構成する（図１参照）。
【００２５】
映像表示装置１０は、アクリル板に光を投影する素材を練り込んだボード状のアクリルスクリーン１３を使用する。そして、このアクリルスクリーン１３の外周縁に沿った後面側に角パイプ状の固定枠体１２を固定ねじ１４にてネジ止め固定する（図１、図７参照）。更に、固定枠体１２の下側面に金属枠体状の連結金具１１溶接し、この連結金具１１が支持台２０方向に突突出するように構成したものである（図５参照）。
【００２６】
リアプロジェクター用のスクリーンには、この他、ガラス板やアクリル板にフィルムを貼ったスクリーンや、巻き上げ式のスクリーンなども提供されているが、ボード状のアクリルスクリーン１３は、特にコントラストや明るさが共に優れ、画像の歪みもないので、デジタルサイネージで用いる大画面スクリーンとして好適である。
【００２７】
短焦点プロジェクターＰは、この映像表示装置１０の背面側に設置されて、映像表示装置１０の背面に映像光を投射する機材である（図１参照）。この短焦点プロジェクターＰは、機種ごとに映像光を投射する焦点距離が設定されている。したがって、異なった焦点距離の短焦点プロジェクターＰを選択して使用するには、各機種に適合した焦点距離の位置に合うように短焦点プロジェクターＰを設置する必要がある。
【００２８】
そこで、本考案の支持台２０は、各短焦点プロジェクターＰの投影角度に合わせて高さ調整自在に設置できるように構成したものである。すなわち、支持台２０上に支持した映像表示装置１０の背面側に、短焦点プロジェクターＰを載置する載置台２２を構成し、該載置台２２を複数の短焦点プロジェクターＰの投影角度に合わせて高さ調整自在に設けたものである（図１参照）。
【００２９】
図示の載置台２２は、この収納ボックス２６の上方に設置されている（図２参照）。そして、前面支持盤体２４及び後面板体２５に夫々高さ調整用の支持孔２２Ａを連続して設けている。一方、この支持孔２２Ａに嵌合する支持受け２２Ｂを設け、この支持受け２２Ｂに載置台２２を係止する。短焦点プロジェクターＰの焦点距離は、この支持受け２２Ｂの位置を変更して調整するものである。
【００３０】
更に、支持台２０は、映像表示装置１０を着脱自在に連結できるように構成すると共に、キャスター２１にて移動可能に設けている（図５参照）。図示例では、キャスター２１を備えた底板２３の上に、前面支持盤体２４を設置し、この前面支持盤体２４に映像表示装置１０を着脱自在に支持するように構成している（図１参照）。
【００３１】
すなわち、前面支持盤体２４の上端部に収納凹部２４Ａを形成し、この収納凹部２４Ａに映像表示装置１０の連結金具１１を収納するように構成する（図６参照）。更に、収納凹部２４Ａに収納した連結金具１１に、前面支持盤体２４の前面側と後面側との両方から連結ボルト２７で連結する。その結果、映像表示装置１０が支持台２０上に固定されるものである（図７参照）。このとき、連結ボルト２７のネジ止め作業は、前面支持盤体２４に開穿したボルト挿通孔２４Ｂを通し（図６参照）、連結金具１１に予め形成したネジ孔１１Ａに直接ネジ止めするように構成することで、連結ボルト２７のネジ止め作業を容易にしている（図７参照）。
【００３２】
更に、前面支持盤体２４の連結ボルト２７を覆う前面パネル２８を前面支持盤体２４の前面に着脱自在に装着する（図４参照）。このとき、前面パネル２８に磁石２９を装着して前面支持盤体２４に磁着するように構成することで、前面パネル２８の着脱を容易にすることができる（図７参照）。
【００３３】
この支持台２０には、更に後面板体２５と収納ボックス２６とを備えている。後面板体２５は、前面支持盤体２４と平行に相対峙し映像表示装置１０の背面側に設置される板状部材である（図３参照）。この後面板体２５には、人が立った位置を想定して取手２５Ａを設けている。また、収納ボックス２６は、前面支持盤体２４と後面板体２５との間に設置される収納部位で、ＰＣやＳＴＢ、電源ケーブル等を収納する（図２参照）。
【００３４】
尚、図示例の各構成は、本考案の一実施例に過ぎず、映像表示装置１０や支持台２０の形状や構成は、本考案の要旨を変更しない範囲で変更することができる。また、本考案の使用例もデジタルサイネージように限定されるものではなく、短焦点プロジェクターＰが必要な任意の状況で使用することが可能である。
【符号の説明】
【００３５】
Ｐ  短焦点プロジェクター
１０  映像表示装置
１１  連結金具
１１Ａ  ネジ孔
１２  固定枠体
１３  アクリルスクリーン
１４  固定ねじ
２０  支持台
２１  キャスター
２２  載置台
２２Ａ  支持孔
２２Ｂ  支持受け
２３  底板
２４  前面支持盤体
２４Ａ  収納凹部
２４Ｂ  ボルト挿通孔
２５  後面板体
２５Ａ  取手
２６  収納ボックス
２７  連結ボルト
２８  前面パネル
２９  磁石
【図１】
0003206150.tif 000003
【図２】
0003206150.tif 000004
【図３】
0003206150.tif 000005
【図４】
0003206150.tif 000006
【図５】
0003206150.tif 000007
【図６】
0003206150.tif 000008
【図７】
0003206150.tif 000009